【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
販売店に陳列された複数の商品に対応させて配置される複数の棚札装置、前記販売店が提供する配達サービスの利用者により所持される携帯端末および受注装置を含み、
前記棚札装置に備えられ、前記複数の棚札装置の個々を識別するための棚札コードのうちの１つを、予め定めた近接エリア内において受信可能なように無線送信する送信部と、
前記携帯端末に備えられ、前記送信部により送信された前記棚札コードを前記近接エリア内において受信する受信部と、
前記携帯端末に備えられ、前記受信部により受信された前記棚札コードのリストを生成する第１の生成部と、
前記受注装置に備えられ、前記第１の生成部により生成された前記リストに含まれた棚札コードに関連付けられた商品を対象商品として設定した上で、当該対象商品を編集するためのウェブページを生成する第２の生成部と、
前記携帯端末に備えられ、前記第２の生成部により生成された前記ウェブページに基づく前記対象商品の編集のための前記利用者の指示を前記受注装置に通知する通知部と、
前記受注装置に備えられ、前記通知部により通知される指示に応じて前記対象商品を更新する更新部と、
前記受注装置に備えられ、前記更新部により更新後の対象商品の配達注文を受け付けるための受注処理を行う処理部と、
を備える配達注文受付システム。
【請求項２】
前記第２の生成部は、前記リストに含まれた前記棚札コードに関連づけられた商品の商品名及びその商品の数量を表すとともに、当該商品名の商品を対象商品から削除することを指示するための第１のユーザインタフェースと、上記表した数量を変更することを指示するための第２のユーザインタフェースと、配達注文の処理への移行を指示するための第３のユーザインタフェースとを含めて前記ウェブページを生成する、
請求項１に記載の配達注文受付システム。
【請求項３】
前記通知部は、前記ウェブページを表示した上で、前記第３のユーザインタフェースでの指示に応じて、前記第１および第２のユーザインタフェースでの前記利用者による指示の内容を前記受注装置に通知する、
請求項２に記載の配達注文受付システム。
【請求項４】
前記更新部は、前記第１のユーザインタフェースでの指示に応じて商品を対象商品から削除し、前記第２のユーザインタフェースでの指示に応じて対象商品の数量を変更し、
前記処理部は、前記第３のユーザインタフェースによる指示の時点までにおける前記第１及び第２のユーザインタフェースでの指示に応じた前記削除又は前記変更により残っている対象商品とその数量とに基づく配達注文を受け付ける、
請求項３に記載の配達注文受付システム。
【請求項５】
前記受注装置はさらに、
商品名および単価を前記棚札コードに関連づけて表した商品情報テーブルを記憶する記憶部を備え、
前記第２の生成部は、前記記憶部に記憶された前記商品情報テーブルに基づいて前記対象商品の商品名および単価を表すものとして前記ウェブページを生成する、
請求項１−４のいずれか一項に記載の配達注文受付システム。
【請求項６】
販売店に陳列された複数の商品に対応させて配置される複数の棚札装置、前記販売店が提供する配達サービスの利用者により所持される携帯端末および受注装置を用いた配達注文受付方法であって、
前記棚札装置にて、前記複数の棚札装置の個々を識別するための棚札コードのうちの１つを、予め定めた近接エリア内において受信可能なように無線送信し、
前記携帯端末にて、送信された前記棚札コードを前記近接エリア内において受信し、
前記携帯端末にて、受信された前記棚札コードのリストを生成し、
前記受注装置にて、生成された前記リストに含まれた棚札コードに関連付けられた商品を対象商品として設定した上で、当該対象商品を編集するためのウェブページを生成し、
前記携帯端末にて、生成された前記ウェブページに基づく前記対象商品の編集のための前記利用者の指示を前記受注装置に通知し、
前記受注装置にて、通知される指示に応じて前記対象商品を更新し、
前記受注装置にて、更新後の対象商品の配達注文を受け付けるための受注処理を行う、配達注文受付方法。
【手続補正２】
【補正対象書類名】明細書
【補正対象項目名】発明の名称
【補正方法】変更
【補正の内容】
【発明の名称】配達注文受付システムおよび配達注文受付方法
【手続補正３】
【補正対象書類名】明細書
【補正対象項目名】０００１
【補正方法】変更
【補正の内容】
【０００１】
本発明の実施形態は、配達注文受付システムおよび配達注文受付方法に関する。
【手続補正４】
【補正対象書類名】明細書
【補正対象項目名】０００６
【補正方法】変更
【補正の内容】
【０００６】
本発明が解決しようとする課題は、買物客の手間を軽減し、ネットスーパーサービス等の配達サービスの利用を促進することができる配達注文受付システムおよび配達注文受付方法を提供することである。
【手続補正５】
【補正対象書類名】明細書
【補正対象項目名】０００７
【補正方法】変更
【補正の内容】
【０００７】
実施形態の配達注文受付システムは、販売店に陳列された複数の商品に対応させて配置される複数の棚札装置、前記販売店が提供する配達サービスの利用者により所持される携帯端末および受注装置を含むものであり、送信部、受信部、第１の生成部、第２の生成部、通知部、更新部および処理部をさらに備える。送信部は棚札装置に備えられており、複数の棚札装置の個々を識別するための棚札コードのうちのを、予め定めた近接エリア内において受信可能なように無線送信する。受信部は携帯端末に備えられており、送信部により送信された棚札コードを近接エリア内において受信する。第１の生成部は携帯端末に備えられており、受信部により受信された棚札コードのリストを生成する。第２の生成部は受注装置に備えられており、リストに含まれた棚札コードに関連づけられた商品を対象商品として設定した上で、当該対象商品を編集するためのウェブページを生成する。通知部は携帯端末に備えられており、第２の生成部により生成されたウェブページに基づく対象商品の編集のための利用者の指示を受注装置に通知する。更新部は受注装置に備えられており、通知部により通知される指示に応じて対象商品を更新する。処理部は受注装置に備えられており、更新部により更新後の対象商品の配達注文を受け付けるための受注処理を行う。
【手続補正６】
【補正対象書類名】明細書
【補正対象項目名】００８５
【補正方法】変更
【補正の内容】
【００８５】
Ａｃｔ２７においてＣＰＵ４１は、トップページのページデータを生成する。トップページは、配達注文の受け付けを開始するためのウェブページである。トップページのフォームは、受注装置４０の管理者などによって任意に定められて良い。
【手続補正７】
【補正対象書類名】明細書
【補正対象項目名】０１１７
【補正方法】変更
【補正の内容】
【０１１７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
[付記１]  販売店に陳列された複数の商品に対応させて配置される複数の棚札装置、前記販売店が提供する配達サービスの利用者により所持される携帯端末および受注装置を備え、
前記棚札装置は、
前記複数の商品の個々を識別するための識別コードのうちの対応する商品の識別コードを、予め定めた近接エリア内において受信可能なように無線送信する送信部を備え、
前記携帯端末は、
前記送信部により送信された前記識別コードを前記近接エリア内において受信する受信部と、
前記受信部により受信された前記識別コードを蓄積記憶する記憶部と、
前記受注装置にアクセスしたことに応じて、前記記憶部により記憶されている識別コードで識別される商品のうちから対象商品の指定を受け付け、当該対象商品を前記受注装置に通知する受付部とを具備し、
前記受注装置は、
前記受付部により通知された、前記対象商品として指定された商品の配達注文を受け付けるための受注処理を行う処理部を備えることを特徴とする配達注文受付システム。
[付記２]  前記送信部は、
前記近接エリア内において情報受信が可能なように情報を無線送信する送信デバイスと、
前記複数の商品の個々を識別するための識別コードの１つを記憶する第１の記憶デバイスと、
前記携帯端末が前記近接エリア内に位置する場合に、前記第１の記憶デバイスにより記憶された前記識別コードを無線送信するよう前記送信デバイスを制御する送信制御部とを具備し、
前記記憶部は、
前記識別コードを複数記憶可能な第２の記憶デバイスと、
前記受信部により受信された前記識別コードを前記第２の記憶デバイスに蓄積記憶させる記憶制御部とを具備し、
前記受付部は、
前記受注装置と通信する第１の通信デバイスと、
表示デバイスと、
前記第２の記憶デバイスにより記憶された前記識別コードで識別される商品に関する商品情報を前記受注装置から取得するように前記第１の通信デバイスを制御する取得制御部と、
前記取得制御部の制御の下に前記第１の通信デバイスにより取得された前記商品情報に応じて、前記第２の記憶デバイスにより記憶された前記識別コードで識別される商品に関する画像を表示するように前記表示デバイスを制御する表示制御部と、
前記表示デバイスにより表示された画像に関する商品についての前記対象商品としての指定を入力する入力部と
前記入力部により入力された指定の内容を前記受注装置に通知するように前記第１の通信デバイスを制御する通知制御部とを備え、
前記処理部は、
前記複数の識別情報のそれぞれに関連付けて前記商品情報を記憶する第３の記憶デバイスと、
前記携帯端末と通信する第２の通信デバイスと、
前記商品情報を前記携帯端末に取得させるべく前記第２の通信デバイスを制御する供給制御部と、
前記第１の通信デバイスにより通知された指定内容に応じて対象商品を判定し、当該対象商品を指定配達先に配達させるための予め定められた情報処理を行う情報処理部とを具備することを特徴とする付記１に記載の配達注文受付システム。
[付記３]  前記処理部は、前記第２の記憶デバイスにより記憶された前記識別コードに関連付けて前記第３の記憶デバイスに記憶された商品情報の一覧を表す画像情報を生成する生成部をさらに備え、
前記供給制御部は、前記生成部が生成した画像情報を前記第２の通信デバイスにより送信させることによって前記商品情報を供給し、
前記表示制御部は、前記取得制御部の制御の下に前記第１の通信デバイスにより取得された前記画像情報に応じて前記一覧を表示するように前記表示デバイスを制御することを特徴とする付記２に記載の配達注文受付システム。
[付記４]  前記受付部は、前記記憶部により記憶されている識別コードで識別される商品の全てを対象商品として初期設定した後、当該設定の変更の指定を受け付けることを特徴とする付記１−３のいずれか一項に記載の配達注文受付システム。
[付記５]  販売店に陳列された複数の商品に対応させて配置される複数の棚札装置から送信された、前記対応する商品を識別するための識別コードを、前記複数の棚札装置のそれぞれに対して予め定めた近接エリア内において受信する受信部と、
前記受信部により受信された前記識別コードを蓄積記憶する記憶部と、
前記販売店が提供する配達サービスに関する商品配達を受注する受注装置にアクセスしたことに応じて、前記記憶部により記憶されている識別コードで識別される商品のうちから、前記商品配達の対象商品の指定を受け付け、当該対象商品を前記受注装置に通知する受付部とを具備したことを特徴とする携帯端末。
[付記６]  販売店に陳列された複数の商品に対応させて配置される複数の棚札装置から送信された、前記対応する商品を識別するための識別コードを、前記複数の棚札装置のそれぞれに対して予め定めた近接エリア内において受信する第１の受信デバイスと、
前記識別コードを複数記憶可能な第２の記憶デバイスと、
前記販売店が提供する配達サービスに関する商品配達を受注する受注装置と通信する第１の通信デバイスと、
表示デバイスとを備えた携帯端末を制御するコンピュータを、
前記第１の受信デバイスにより受信された前記識別コードを前記第２の記憶デバイスに蓄積記憶させる記憶制御部と、
前記第２の記憶デバイスにより記憶された前記識別コードで識別される商品に関する商品情報を前記受注装置から取得するように前記第１の通信デバイスを制御する取得制御部と、
前記取得制御部の制御の下に前記第１の通信デバイスにより取得された前記商品情報に応じて、前記第２の記憶デバイスにより記憶された前記識別コードで識別される商品に関する画像を表示するように前記表示デバイスを制御する表示制御部と、
前記表示デバイスにより表示された画像に関する商品についての対象商品としての指定を入力する入力部と
前記入力部により入力された指定の内容を前記受注装置に通知するように前記第１の通信デバイスを制御する通知制御部として機能させるための制御プログラム。